(57)【要約】【課題】使い勝手を向上させ、表示された画像に対して容易に書き込みを行うこと。【解決手段】プロジェクタ３０からの投射光３０を含む光に感応する導電率可変層１３（光感応層）と、導電率可変層１３の上に積層され、導電率可変層１３により感応された光を保持し、該光に対応する画像を表示する有機ＥＬ層１４と、反射電極層１２と半透過電極層１５を介して、導電率可変層１３および有機ＥＬ層１４に保持用の電圧Ｖを印加する直流電源１６とを備えている。【選択図】        図１
2005321454.tif 000002
【特許請求の範囲】
【請求項１】
プロジェクタからの投射光を含む光に感応する光感応層と、
前記光感応層の上に積層され、該光感応層により感応された光を保持し、該光に対応する画像を表示する光保持層と、
を備えたことを特徴とする表示パネル。
【請求項２】
前記光保持層の上に積層され、光に対して半透過特性を有する半透過層を備えたことを特徴とする請求項１に記載の表示パネル。
【請求項３】
前記光感応層は、前記投射光の他に、光学ペンからの書き込み光にも感応することを特徴とする請求項１または２に記載の表示パネル。
【請求項４】
前記投射光は、紫外線または赤外線であることを特徴とする請求項１〜３のいずれか一つに記載の表示パネル。
【請求項５】
請求項１〜４のいずれか一つに記載の表示パネルと、
前記光保持層における光の保持状態を制御する制御手段と、
を備えたことを特徴とする表示装置。
【発明の詳細な説明】
【技術分野】
【０００１】
本発明は、プロジェクタ等を用いた画像表示に用いて好適な表示パネルおよび表示装置に関するものであり、特に、使い勝手を向上させることができるとともに、表示された画像に対して容易に書き込みを行うことができる表示パネルおよび表示装置に関するものである。
【背景技術】
【０００２】
従来より、プレゼンテーション等においては、プロジェクタから投射光を表示パネル（スクリーン）に投射し、表示パネルに画像を表示していた。この場合、プレゼンタは、表示パネルに表示された画像を参照しつつ口頭で説明をしたり、長い指示棒を用いて、表示パネルに表示された画像における必要箇所を指示しつつ口頭で説明を行っていた。
【０００３】
また、特許文献１には、自発光型の画素構造を有し、信号光を発生する信号光発生素子と、信号光に応じて電荷を発生させる光電変換層と、電荷により表示光を発生させる有機膜とを備えた表示装置が開示されている。
【０００４】
【特許文献１】特開平９−２１８４２３号公報
【発明の開示】
【発明が解決しようとする課題】
【０００５】
ところで、従来においては、プレゼンタの立ち位置によって、プロジェクタからの投射光が非常に眩しい場合があり、使い勝手が悪いという問題があった。特に、プレゼンテーションが長引き、表示パネルの前で説明するという状況では、プロジェクタからの投射光が直接プレゼンタの目に入り、説明に集中できない等の弊害が生じる。
【０００６】
また、プレゼンテーションにおいては、表示パネルに表示された画像に対して、説明の状況に応じた文字や線を追加しつつ説明したいというニーズがある。しかしながら、従来の表示パネルにおいては、表示パネルにペン等で文字や線等を直接書き込むと、表示パネルが汚れ、鮮明な画像を表示できなくなるという弊害があるため、かかるニーズに応えることができないのである。なお、特許文献１の表示装置は、自発光型の画素構造を有しており、プロジェクタの投射には適さない。
【０００７】
本発明は、上記に鑑みてなされたものであって、使い勝手を向上させることができるとともに、表示された画像に対して容易に書き込みを行うことができる表示パネルおよび表示装置を提供することを目的とする。
【課題を解決するための手段】
【０００８】
上述した課題を解決し、目的を達成するために、本発明は、プロジェクタからの投射光を含む光に感応する光感応層と、前記光感応層の上に積層され、該光感応層により感応された光を保持し、該光に対応する画像を表示する光保持層と、を備えたことを特徴とする。
【０００９】
本発明によれば、プロジェクタからの投射光を含む光に感応する光感応層と、光感応層の上に積層され、光感応層により感応された光を保持し、該光に対応する画像を表示する光保持層とを備えた構成としたので、投射光の投射が停止されても、保持された光により画像が表示され続けるため、例えば、プレゼンテーションにおけるプレゼンタが眩しさを気にすることなく説明に集中できるため、使い勝手を向上させることができる。
【００１０】
また、本発明は、上記発明において、前記光保持層の上に積層され、光に対して半透過特性を有する半透過層を備えたことを特徴とする。
【００１１】
本発明によれば、光保持層の上に光に対して半透過特性を有する半透過層を積層することとしたので、例えば、プロジェクタからの投射光がカラー画像に対応する場合に、投射光の一部が反射されるためカラー画像を表示させることができる。
【００１２】
また、本発明は、上記発明において、前記光感応層は、前記投射光の他に、光学ペンからの書き込み光にも感応することを特徴とする。
【００１３】
本発明によれば、光感応層を、投射光の他に、光学ペンからの書き込み光にも感応することとしたので、光学ペンが移動された場合の書き込み光の軌跡に応じた線等が表示・保持されるため、表示された画像に対して容易に書き込みを行うことができる。
【００１４】
また、本発明は、上記発明において、前記投射光は、紫外線または赤外線であることを特徴とする。
【００１５】
本発明によれば、投射光を、紫外線または赤外線としたので、人間に投射光を感じさせることなく、画像を表示させることができる。
【００１６】
また、本発明は、上記発明における表示パネルと、前記光保持層における光の保持状態を制御する制御手段と、を備えたことを特徴とする。
【００１７】
本発明によれば、光保持層における光の保持状態を制御する制御手段を備えた構成としたので、使い勝手を向上させ、画像の消去や保持を簡単に行うことができる。
【発明を実施するための最良の形態】
【００１８】
以下に、本発明にかかる表示パネルおよび表示装置の実施例を図面に基づいて詳細に説明する。なお、この実施例によりこの発明が限定されるものではない。
【実施例】
【００１９】
図１は、本発明にかかる表示パネルおよび表示装置の一実施例の構成を示す側面図である。同図には、プロジェクタ３０から投射された投射光３１（画像）を保持し、投射光３１に応じた画像を表示する表示パネル１１や光学ペン２０等を備えた表示装置１０が表示されている。この表示装置１０は、表示パネル１１に表示された画像を参照しつつ説明を行うプレゼンテーション等に用いられる。
【００２０】
表示パネル１１は、プロジェクタ３０から投射された投射光３１（画像）を保持する機能と、投射光３１に応じた画像を表示する機能と、後述する光学ペン２０より発せられた書き込み光２４を保持する機能と、書き込み光２４に応じた画像を表示する機能とを備えている。この表示パネル１１は、反射電極層１２、導電率可変層１３、有機ＥＬ層１４および半透過電極層１５がガラス基板（図示略）上に積層されてなる。また、表示パネル１１（反射電極層１２と半透過電極層１５）には、スイッチ１７を介して直流電源１６より電圧Ｖが印加されている。
【００２１】
反射電極層１２は、アルミニウム等から構成されており、光を反射させるための層である。導電率可変層１３は、例えば、アモルファスシリコン、感光性有機膜等から構成されており、入射される光の光強度に応じて、導電率が変化するという電気的特性を備えている。この導電率可変層１３は、光に感応する光感応層である。例えば、光が照射されない場合、すなわち、光量が０である場合、導電率可変層１３の導電率は、ほぼ０（言い換えれば、抵抗値が無限大）となる。一方、導電率可変層１３に光を照射すると、導電率可変層１３の導電率は、光量に応じて大きくなる（言い換えれば、抵抗値が小さくなる）。
【００２２】
このように、導電率可変層１３は、入射される光に応じて抵抗値が変化する可変抵抗と考えることができる。また、スイッチ１７がオンとされ、直流電源１６が表示パネル１１に印加されている場合、導電率可変層１３では、図２に示したように、入射される光の光強度（Ｐ0、Ｐ1）に応じた電流（Ｉ0、Ｉ1）が生じ、有機ＥＬ層１４にも流れる。
【００２３】
有機ＥＬ層１４は、図３に示したように、導電率可変層１３からの電流（Ｉ0、Ｉ1）に応じて、光強度（Ｐ0’、Ｐ1’）の光を発光する機能を備えており、光を保持するための光保持層である。図１に戻り、半透過電極層１５は、光の一部を透過し、残りを反射する特性を有している。直流電源１６は、表示パネル１１で光（画像）を保持する場合に用いられ、上述したように、電圧Ｖを表示パネル１１へ供給する。スイッチ１７は、表示パネル１１で光（画像）を保持する場合にオンとされ、光（画像）を消去する場合にオフとされる。
【００２４】
光学ペン２０は、例えば、プレゼンタにより把持され、表示パネル１１に追加で文字や線を光学的に描く場合に用いられるペンである。この光学ペン２０は、表示パネル１１に近接している間に書き込み光２４（図５参照）を照射する機能を備えている。書き込み光２４が照射されている間においては、光学ペン２０が移動されることにより、上述した有機ＥＬ層１４が発光し、文字や線に対応する光（画像）が保持されつつ、表示される。
【００２５】
図４は、図１に示した光学ペン２０の構成を示す図である。同図に示した光学ペン２０において、発光ダイオード２１は、近接スイッチ２３を介して直流電源２２に直列接続されている。近接スイッチ２３は、光学ペン２０が表示パネル１１に対して離間した状態で、オフとされている。一方、図５に示したように、光学ペン２０が表示パネル１１に近接した状態では、近接スイッチ２３は、表示パネル１１に当接され、オンとされる。この場合、発光ダイオード２１からは、書き込み光２４が表示パネル１１へ向けて照射される。
【００２６】
なお、一実施例においては、光学ペン２０に代えて、図６に示した光学ペン４０を用いてもよい。光学ペン４０において、発光ダイオード４１は、スイッチ回路４３を介して直流電源４２に直列接続されている。発光器４４は、光学ペン４０が表示装置１０に近接したことを検出するための近接検出光４５を照射する発光ダイオード等である。受光器４６は、近接検出光４５が表示パネル１１により反射された反射光を受光するフォトトランジスタ等である。
【００２７】
ここで、光学ペン４０が表示パネル１１に対して離間している状態では、受光器４６で反射光が受光されないため、スイッチ回路４３がオフとされ、発光ダイオード４１が消灯される。一方、図７に示したように、光学ペン４０が表示パネル１１に近接した状態では、受光器４６で反射光が受光されるため、スイッチ回路４３がオンとされ、発光ダイオード４１から書き込み光４７が表示パネル１１へ照射される。
【００２８】
図１に戻り、プロジェクタ３０は、光スキャン型プロジェクタ、ＣＲＴ（Cathode Ray Tube）プロジェクタ等であり、画像に対応する投射光３１を生成し、これを表示パネル１１へ投射する機能を備えている。
【００２９】
上記構成において、図１に示したプロジェクタ３０から投射光３１が表示パネル１１に投射されると、投射光３１の一部が半透過電極層１５によりプロジェクタ３０方向に反射されるとともに、投射光３１の残りが半透過電極層１５を透過した後、さらに有機ＥＬ層１４を透過し、導電率可変層１３に入射される。これにより、導電率可変層１３では、入射された光に応じて導電率が変化し、電流が流れる。
【００３０】
この電流は、有機ＥＬ層１４にも流れるため、有機ＥＬ層１４は、電流に応じた光強度で発光する。有機ＥＬ層１４で発光した光が導電率可変層１３に入射するため、導電率可変層１３で電流が流れ、さらに、この電流で有機ＥＬ層１４が発光する。一方、有機ＥＬ層１４で発光した光は、半透過電極層１５を透過し、画像の表示光とされる。この場合、半透過電極層１５には、図８に示した画像５０が表示されているものとする。
【００３１】
ここで、プロジェクタ３０がオフとされると、投射光３１が表示パネル１１に投射されない。しかしながら、投射光３１の投射が停止した場合でも、有機ＥＬ層１４の発光により、導電率可変層１３で電流が流れ続けるため、有機ＥＬ層１４が発光し続ける。すなわち、表示パネル１１においては、投射光３１（画像）が保持され、画像５０（図８参照）が表示されつづける。ここで、スイッチ１７がオフにされると、投射光３１の保持が解除され、画像５０が消去される。
【００３２】
また、表示パネル１１に画像５０が表示された状態で、プレゼンタは、プロジェクタ３０をオフにし、投射光３１の投射を停止させる。つぎに、プレゼンタが光学ペン２０を表示パネル１１に近接させると、図５に示したように、近接スイッチ２３がオンとされ、発光ダイオード２１からは、書き込み光２４が表示パネル１１へ照射される。そして、プレゼンタが図９に示した画像５０の上に楕円形の線６０を上書きすべく、光学ペン２０を移動させると、表示パネル１１には、線６０に対応する軌跡で書き込み光２４が表示パネル１１に照射される。
【００３３】
これにより、書き込み光２４の一部が半透過電極層１５によりプロジェクタ３０方向に反射されるとともに、書き込み光２４の残りが半透過電極層１５を透過した後、さらに有機ＥＬ層１４を透過し、導電率可変層１３に入射される。これにより、導電率可変層１３では、入射された光に応じて導電率が変化し、電流が流れる。
【００３４】
この電流は、有機ＥＬ層１４にも流れるため、有機ＥＬ層１４は、電流に応じた光強度で発光する。有機ＥＬ層１４で発光した光が導電率可変層１３に入射するため、導電率可変層１３で電流が流れ、さらに、この電流で有機ＥＬ層１４が発光する。一方、有機ＥＬ層１４で発光した光は、半透過電極層１５を透過し、図９に示した線６０の表示光とされる。
【００３５】
ここで、光学ペン２０が表示パネル１１から離間され、発光ダイオード２１からの書き込み光２４の照射が停止されても、有機ＥＬ層１４の発光により、導電率可変層１３で電流が流れ続けるため、有機ＥＬ層１４が発光し続ける。すなわち、表示パネル１１においては、画像５０（図８参照）とともに、線６０も表示されつづける。
【００３６】
なお、プロジェクタ３０からの投射光３１がカラー画像に対応している場合には、半透過電極層１５により投射光３１の一部が反射されるため、スイッチ１７をオフにした状態では、画像５０（図８参照）がカラー画像として表示パネル１１に表示される。ここで、スイッチ１７をオンにすると、カラー画像に対応するグレースケール画像が表示パネル１１に保持され、カラー画像に対応する投射光３１の投射を停止しても、グレースケール画像が表示パネル１１に表示され続ける。
【００３７】
また、一実施例においては、投射光３１としては、可視光以外に紫外線または赤外線を用いてもよい。また、一実施例においては、デジタルカメラやスキャナ、印刷機能付きのスキャナ等の画像取得装置を設けて、画像取得装置により、表示パネル１１に表示された画像５０や線６０（図９参照）を電子データとして取得したり、印刷する構成例としてもよい。
【００３８】
以上説明したように、一実施例によれば、プロジェクタ３０からの投射光３１を含む光に感応する導電率可変層１３（光感応層）と、導電率可変層１３の上に積層され、導電率可変層１３により感応された光を保持し、該光に対応する画像５０（図８参照）を表示する有機ＥＬ層１４（光保持層）とを備えた構成としたので、投射光３１の投射が停止されても、保持された光により画像５０が表示され続けるため、例えば、プレゼンテーションにおけるプレゼンタが眩しさを気にすることなく説明に集中できるため、使い勝手を向上させることができる。
【００３９】
また、一実施例によれば、有機ＥＬ層１４の上に光に対して半透過特性を有する半透過電極層１５を積層することとしたので、例えば、プロジェクタからの投射光３１がカラー画像に対応する場合に、投射光の一部が反射されるためカラー画像を表示させることができる。
【００４０】
また、一実施例によれば、反射電極層１２を、投射光３１の他に、光学ペン２０からの書き込み光２４にも感応することとしたので、光学ペン２０が移動された場合の書き込み光２４の軌跡に応じた線等が表示・保持されるため、表示された画像に対して容易に書き込みを行うことができる。
【００４１】
また、一実施例によれば、投射光３１を、紫外線または赤外線としたので、人間に投射光を感じさせることなく、画像を表示させることができる。
【００４２】
また、一実施例によれば、有機ＥＬ層１４における光の保持状態を制御する直流電源１６およびスイッチ１７（制御手段）を備えた構成としたので、使い勝手を向上させ、画像の消去や保持を簡単に行うことができる。
【産業上の利用可能性】
【００４３】
以上のように、本発明にかかる表示パネルおよび表示装置は、例えば、プレゼンテーション等に対して有用である。
【図面の簡単な説明】
【００４４】
【図１】本発明にかかる一実施例の構成を示す側面図。
【図２】図１に示した導電率可変層１３の光強度−電流特性を示す図。
【図３】図１に示した有機ＥＬ層１４の電流−光強度特性を示す図。
【図４】図１に示した光学ペン２０の構成を示す図。
【図５】図１に示した光学ペン２０の動作を説明する図。
【図６】同一実施例で用いられる光学ペン４０の構成を示す図。
【図７】図６に示した光学ペン４０の動作を説明する図。
【図８】図１に示した表示パネル１１に表示される画像５０を示す図。
【図９】図８に示した画像５０に上書きされた線６０を示す図。
【符号の説明】
【００４５】
１０  表示装置、１１  表示パネル、１２  反射電極層、１３  導電率可変層、１４  有機ＥＬ層、１５  半透過電極層、１６  直流電源、１７  スイッチ、２０  光学ペン、３０  プロジェクタ、４０  光学ペン
【図１】
2005321454.tif 000003
【図２】
2005321454.tif 000004
【図３】
2005321454.tif 000005
【図４】
2005321454.tif 000006
【図５】
2005321454.tif 000007
【図６】
2005321454.tif 000008
【図７】
2005321454.tif 000009
【図８】
2005321454.tif 000010
【図９】
2005321454.tif 000011